(57)【要約】  【課題】  カメラによって監視を行っている場所に動きがあったことを示す異常映像のみを光ディスクに記録し、再生時に異常映像を早く探せるように、異常映像にチャプターマークを付けて光ディスクに異常映像を記録する機能を有する複合型記録再生装置を提供する。  【解決手段】  カメラモードに設定され、カメラからのアナログの映像信号をＡ／Ｄ変換して得られたデジタルの映像データの１画面分の映像データが一旦ＲＡＭに格納される。ＲＡＭに格納されている映像データは、読み出され、ハードディスクに記録される。映像データがハードディスクに記録される一方、前回にＲＡＭに格納された１画面分の映像データと、今回にＲＡＭに格納された１画面分の映像データとが比較され、両映像データが異なると判定されたとき、今回の映像データにチャプターマークが付けられ、今回の映像データが光ディスクに記録される。【選択図】      図４
2007081662.tif 000002
【特許請求の範囲】
【請求項１】
ハードディスクに対して情報の記録／再生を行うハードディスク装置と、光ディスクに
対して情報の記録／再生を行う光ディスク記録再生装置とを備え、外部に接続されたカメ
ラからの映像情報をハードディスクまたは／および光ディスクに記録できるように構成さ
れた複合型記録再生装置であって、
カメラモードに設定された場合に、前記カメラからのアナログの映像信号をデジタルに
変換した映像データの１画面分の映像データをメモリに一旦格納させるメモリ格納制御手
段と、
前記ハードディスク装置を駆動させ、前記メモリに格納された映像データを前記ハード
ディスクに記録させるハードディスク記録制御手段と、
前回に前記メモリに格納された映像データと今回に前記メモリに格納された映像データ
とを比較することによって両映像データは異なるか否かを判定する映像データ判定手段と
、
両映像データが異なると判定されたときに、前記ハードディスクに今回の映像データを
記録させる際にチャプターマークを挿入するチャプターマーク挿入手段と、
両映像データが異なると判定されたときに、前記光ディスク記録再生装置を駆動させ、
前記今回の映像データにチャプターマークを付けて、前記今回の映像データを前記光ディ
スクに記録させる光ディスク記録制御手段とを、有するシステムコントローラを備えたこ
とを特徴とする複合型記録再生装置。
【請求項２】
ハードディスクに対して情報の記録／再生を行うハードディスク装置と、光ディスクに
対して情報の記録／再生を行う光ディスク記録再生装置とを備え、外部に接続されたカメ
ラからの映像情報をハードディスクまたは／および光ディスクに記録できるように構成さ
れた複合型記録再生装置であって、
カメラモードに設定された場合に、前記カメラからの映像信号に基づく映像データを前
記ハードディスクに記録させる制御を行うと共に、前記カメラによる映像データを、時間
的に前回の映像データと今回の映像データとを比較して、両映像データが異なるときに、
前記今回の映像データを前記光ディスクに記録させる制御を行うシステムコントローラを
備えたことを特徴とする複合型記録再生装置。
【請求項３】
時間的に前回の映像データと今回の映像データとの比較は、時間的にずれた１画面分の
前回の映像データと１画面の今回の映像データとの比較であることを特徴とする請求項２
に記載の複合型記録再生装置。
【請求項４】
異常を示す今回の映像データを光ディスクに記録させる際に、異常を示す今回の映像デ
ータにチャプターマークを付けて前記光ディスクに記録させることを特徴とする請求項２
に記載の複合型記録再生装置。
【請求項５】
カメラからの映像信号に基づく映像データをハードディスクに記録しているときに、異
常を示す今回の映像データを記録する際に、前記今回の映像データにチャプターマークを
挿入して前記ハードディスクに記録させることを特徴とする請求項２に記載の複合型記録
再生装置。
【請求項６】
前記システムコントローラは、カメラモードに設定された場合に、カメラからの映像デ
ータの１画面分の映像データをメモリに一旦格納させるメモリ格納制御手段と、前記ハー
ドディスク装置を駆動させ、前記メモリに格納された映像データを前記ハードディスクに
記録させるハードディスク記録制御手段と、前回に前記メモリに格納された映像データと
今回に前記メモリに格納された映像データとを比較することによって両映像データは異な
るか否かを判定する映像データ判定手段と、両映像データが異なると判定されたときに、
前記光ディスク記録再生装置を駆動させ、前記今回の映像データにチャプターマークを付
けて、前記今回の映像データを前記光ディスクに記録させる光ディスク記録制御手段とを
有することを特徴とする請求項２に記載の複合型記録再生装置。
【請求項７】
前記システムコントローラは、両映像データが異なると判定されたときに、前記ハード
ディスクに今回の映像データを記録させる際にチャプターマークを挿入するチャプターマ
ーク挿入手段を有することを特徴とする請求項２に記載の複合型記録再生装置。
【発明の詳細な説明】
【技術分野】
【０００１】
本発明は、ハードディスクに対して情報の記録／再生を行うハードディスク装置と、光
ディスクに対して情報の記録／再生を行う光ディスク記録再生装置とを備え、外部に接続
されたカメラからの映像情報をハードディスクまたは／および光ディスクに記録できるよ
うに構成された複合型記録再生装置に関する。
【背景技術】
【０００２】
従来から、映像信号を出力できるカメラを防犯対策のための監視用カメラとして用いら
れていることが多い。このようにカメラを監視用カメラとして用いられた従来技術として
、例えば、特許文献１の異常監視カメラ装置、特許文献２の監視カメラ装置、特許文献３
の環境災害防止機能を備えた建造物及び環境警備システムなどが知られている。
【０００３】
特許文献１の異常監視カメラ装置は、カメラ部で撮像した画像データ（アナログの映像
信号）をデジタルの画像データ（映像データ）に変換し、画像データメモリに記憶し、記
憶されている画像データを画区データとして読み出し、読み出した過去の画区データと最
新の画区データとを比較し、最新の画区データに異常があれば、その画区データを異常画
区メモリに記憶すると共に、異常画区データに基づいてズーム駆動部および旋回制御部を
制御し、更に、異常画区データを光ディスクやハードディスクなどに記録することができ
るように構成されている。
【０００４】
特許文献２の監視カメラ装置は、カメラで監視対象を撮影し、この撮像した画像を圧縮
し、ハードディスクやＤＶＤなどに記憶し、トリガ入力があると、記憶している圧縮画像
を伝送するように構成されている。また、所要の監視対象の異常を検知するセンサーを設
け、この出力をトリガ信号としている。トリガ信号を受けると、記憶部からトリガ前後の
圧縮画像を送信するように構成されている。
【０００５】
特許文献３の環境災害防止機能を備えた建造物及び環境警備システムは、環境を撮影す
る撮像装置を設け、一定の短い時間間隔で撮影し、この連続画像同士を比較して異物体の
有無を判定し、異物体があれば、警報を発するように構成されている。
【特許文献１】特開平１１−２７５５５８号公報
【特許文献２】特開平９−２８４７５１号公報
【特許文献３】特開２００３−１２３１５７号公報
【発明の開示】
【発明が解決しようとする課題】
【０００６】
ところで、特許文献１の異常監視カメラ装置は、過去の画区データと最新の画区データ
とを比較し、最新の画区データに異常があれば、その異常画区データを光ディスクやハー
ドディスクなどに記録することができるようにしているが、異常が起きる前の状況は記録
されないので、その状況を把握できないし、また、記録の際にチャプターマークを挿入し
て異常画区データを光ディスクやハードディスクに記録するようにはしていないので、後
から光ディスクやハードディスクを再生して、異常があった映像を探し出すのに、スキッ
プして探し出せないため、時間が多くかかり、異常に対する対処を遅らせるという課題が
生じる。
【０００７】
特許文献２の監視カメラ装置は、カメラで監視対象を撮影し、この撮像した画像を圧縮
し、ハードディスクやＤＶＤなどの記憶部に記憶し、トリガ入力があると、その記憶して
いる圧縮画像を伝送するように構成されているが、記憶の際にチャプターマークを挿入し
て異常画区データをハードディスクやＤＶＤなどの記憶部に記憶するようにはしていない
ので、後からハードディスクやＤＶＤを再生して、異常があった映像を探し出すのに、ス
キップして探し出せないため、時間が多くかかり、異常に対する対処を遅らせるという課
題が生じる。
【０００８】
特許文献３の環境災害防止機能を備えた建造物及び環境警備システムは、環境を撮影す
るテレビカメラや赤外線カメラなどの撮像装置を設け、一定の短い時間間隔で撮影し、こ
の連続画像同士を比較して異物体の有無を判定し、異物体があれば、警報を発して警察署
に通報する構成について開示されているだけで、撮像装置からの映像データをハードディ
スクやＤＶＤに記録する構成については開示されていない。
【０００９】
本発明は、上記のような課題を解決するためになされたもので、カメラによって監視を
行っている場所に動きがあったことを示す異常映像のみを光ディスクに記録し、少なくと
も光ディスクを再生して異常映像を早く見ることができる機能を有する複合型記録再生装
置を提供することを目的とする。
【課題を解決するための手段】
【００１０】
上記目的を達成するために、請求項１の発明は、ハードディスクに対して情報の記録／
再生を行うハードディスク装置と、光ディスクに対して情報の記録／再生を行う光ディス
ク記録再生装置とを備え、外部に接続されたカメラからの映像情報をハードディスクまた
は／および光ディスクに記録できるように構成された複合型記録再生装置であって、カメ
ラモードに設定された場合に、前記カメラからのアナログの映像信号をデジタルに変換し
た映像データの１画面分の映像データをメモリに一旦格納させるメモリ格納制御手段と、
前記ハードディスク装置を駆動させ、前記メモリに格納された映像データを前記ハードデ
ィスクに記録させるハードディスク記録制御手段と、前回に前記メモリに格納された映像
データと今回に前記メモリに格納された映像データとを比較することによって両映像デー
タは異なるか否かを判定する映像データ判定手段と、両映像データが異なると判定された
ときに、前記ハードディスクに今回の映像データを記録させる際にチャプターマークを挿
入するチャプターマーク挿入手段と、両映像データが異なると判定されたときに、前記光
ディスク記録再生装置を駆動させ、前記今回の映像データにチャプターマークを挿入して
、前記今回の映像データを前記光ディスクに記録させる光ディスク記録制御手段とを有す
るシステムコントローラを備えたことを特徴とする複合型記録再生装置を提供する。
【００１１】
この構成において、カメラモードに設定され、メモリ格納制御手段は、カメラからのア
ナログの映像信号をＡ／Ｄ変換して得られたデジタルの映像データの１画面分の映像デー
タを一旦メモリに格納する。ハードディスク記録制御手段は、ハードディスク装置を駆動
させ、メモリに格納されている映像データを読み出して、ハードディスクに記録させる。
【００１２】
このような処理により、映像データがハードディスクに記録される一方、映像データ判
定手段は、前回にメモリに格納された１画面分の映像データと、今回にメモリに格納され
た１画面分の映像データとを比較して、両映像データが異なると判定したとき、チャプタ
ーマーク挿入手段は、ハードディスクに今回の映像データを記録させる際に、チャプター
マークを挿入する。また、両映像データが異なると判定したとき、光ディスク記録制御手
段は、光ディスク記録再生装置を駆動させ、前記今回の映像データにチャプターマークを
付けて、前記今回の映像データを光ディスクに記録させる。
【００１３】
この構成によれば、チャプターマークが異常を示す映像データに付けられることにより
、光ディスクの再生時にスキップすれば、光ディスクから各異常映像を直ぐに再生でき、
カメラの監視対象の異常を早く確認することができる。また、ハードディスクに映像デー
タを記録しているときに、異常があった映像データにチャプタ−マークを挿入することに
より、そのハードディスクを再生するときにスキップすれば、異常映像を直ぐに再生でき
、異常が発生した前後の状況も把握でき、後々の異常の分析に役立てることができる。ま
た、ハードディスクは、使用容量が一杯になれば、記録されている映像データを消去して
、新たな映像データを記録するようになるが、光ディスクに記録された映像データは、い
つまでも残すことができるので、犯罪捜査などにも役立てることができる。
【００１４】
請求項２の発明は、ハードディスクに対して情報の記録／再生を行うハードディスク装
置と、光ディスクに対して情報の記録／再生を行う光ディスク記録再生装置とを備え、外
部に接続されたカメラからの映像情報をハードディスクまたは／および光ディスクに記録
できるように構成された複合型記録再生装置であって、カメラモードに設定された場合に
、前記カメラからの映像信号に基づく映像データを前記ハードディスクに記録させる制御
を行う共に、前記カメラによる映像データを、時間的に前回の映像データと今回の映像デ
ータとを比較して、両映像データが異なるときに、前記今回の映像データを前記光ディス
クに記録させる制御を行うシステムコントローラを備えたことを特徴とする複合型記録再
生装置を提供する。
【００１５】
この構成において、カメラモードに設定された場合に、カメラからのアナログの映像信
号をデジタルに変換された映像データは、ハードディスクに記録されると共に、前記映像
データは、時間的に前回の映像データと今回の映像データとが比較され、両映像データが
異なるときに、前記今回の映像データは、光ディスクに記録される。
【００１６】
この構成によれば、光ディスクを再生すれば、カメラの監視対象の異常を早く確認する
ことができる。また、ハードディスクを再生すれば、異常が発生した前後の状況も把握で
き、後々の異常の分析に役立てることができる。また、ハードディスクは、使用容量が一
杯になれば、記録されている映像データを消去して、新たな映像データを記録するように
なるが、光ディスクに記録された映像データは、いつまでも残すことができるので、犯罪
捜査などにも役立てることができる。
【００１７】
請求項３の発明では、請求項２の発明において、時間的に前回の映像データと今回の映
像データとの比較は、時間的にずれた１画面分の前回の映像データと１画面の今回の映像
データとの比較であるので、監視対象に少しでも変化があれば、その変化を検出すること
ができる。
【００１８】
請求項４の発明では、請求項２の発明において、今回の映像データを光ディスクに記録
させる際に、異常を示す今回の映像データにチャプターマークを付けて前記光ディスクに
記録させるようにしたので、光ディスクの再生時にスキップさせれば、異常を示す映像を
直ぐに再生することが可能になる。
【００１９】
請求項５の発明では、請求項２の発明において、カメラからの映像信号に基づく映像デ
ータをハードディスクに記録しているときに、異常を示す今回の映像データを記録する際
に、前記今回の映像データにチャプターマークを挿入して前記ハードディスクに記録させ
るようにしたので、ハードディスクの再生時にスキップさせれば、異常を示す映像を直ぐ
に再生することが可能になる。
【００２０】
請求項６の発明では、請求項２の発明において、前記システムコントローラは、カメラ
モードに設定された場合に、カメラからの映像データの１画面分の映像データをメモリに
一旦格納させるメモリ格納制御手段と、ハードディスク装置を駆動させ、前記メモリに格
納された映像データをハードディスクに記録させるハードディスク記録制御手段と、前回
に前記メモリに格納された映像データと今回に前記メモリに格納された映像データとを比
較することによって両映像データは異なるか否かを判定する映像データ判定手段と、両映
像データが異なると判定されたときに、前記光ディスク記録再生装置を駆動させ、前記今
回の映像データにチャプターマークを付けて、前記今回の映像データを前記光ディスクに
記録させる光ディスク記録制御手段とを有するので、メモリ格納制御処理、ハードディス
ク記録制御処理、映像データ判定処理、および光ディスク記録制御処理を実現でき、特に
、光ディスクの再生時にスキップキーを押下すれば、光ディスクから各異常映像を直ぐに
再生することが可能になる。
【００２１】
請求項７の発明では、請求項２の発明において、前記システムコントローラは、両映像
データが異なると判定されたときに、前記ハードディスクに今回の映像データを記録させ
る際にチャプターマークを挿入するチャプターマーク挿入手段を有するので、ハードディ
スクを再生するときにスキップすれば、異常映像を直ぐに再生することが可能になる。
【発明の効果】
【００２２】
以上のように本発明によれば、ハードディスクに対して情報の記録／再生を行うハード
ディスク装置と、光ディスクに対して情報の記録／再生を行う光ディスク記録再生装置と
を備え、外部に接続されたカメラからの映像情報をハードディスクまたは／および光ディ
スクに記録できるように構成された複合型記録再生装置であって、カメラモードに設定さ
れた場合に、前記カメラからのアナログの映像信号をデジタルに変換した映像データの１
画面分の映像データをメモリに一旦格納させるメモリ格納制御手段と、前記ハードディス
ク装置を駆動させ、前記メモリに格納された映像データを前記ハードディスクに記録させ
るハードディスク記録制御手段と、前回に前記メモリに格納された映像データと今回に前
記メモリに格納された映像データとを比較することによって両映像データは異なるか否か
を判定する映像データ判定手段と、両映像データが異なると判定されたときに、前記ハー
ドディスクに今回の映像データを記録させる際にチャプターマークを挿入するチャプター
マーク挿入手段と、両映像データが異なると判定されたときに、前記光ディスク記録再生
装置を駆動させ、前記今回の映像データにチャプターマークを挿入して、前記今回の映像
データを前記光ディスクに記録させる光ディスク記録制御手段とを有するシステムコント
ローラを備えたので、光ディスクの再生時にスキップキーを押下すれば、光ディスクから
各異常映像を直ぐに再生でき、カメラの監視対象の異常を早く確認することができる。ま
た、ハードディスクに映像データを記録しているときに、異常があった映像データにチャ
プタ−マークを挿入することにより、そのハードディスクを再生するときにスキップすれ
ば、異常映像を直ぐに再生でき、異常が発生した前後の状況も把握でき、後々の異常の分
析に役立てることができる。また、ハードディスクは、使用容量が一杯になれば、記録さ
れている映像データを消去して、新たな映像データを記録するようになるが、光ディスク
に記録された映像データは、いつまでも残すことができるので、犯罪捜査などにも役立て
ることができる。
【００２３】
また、本発明によれば、ハードディスクに対して情報の記録／再生を行うハードディス
ク装置と、光ディスクに対して情報の記録／再生を行う光ディスク記録再生装置とを備え
、外部に接続されたカメラからの映像情報をハードディスクまたは／および光ディスクに
記録できるように構成された複合型記録再生装置であって、カメラモードに設定された場
合に、前記カメラからの映像信号に基づく映像データを前記ハードディスクに記録させる
制御を共に、前記カメラによる映像データを、時間的に前回の映像データと今回の映像デ
ータとを比較して、両映像データが異なるときに、前記今回の映像データを前記光ディス
クに記録させる制御を行うシステムコントローラを備えたので、光ディスクを再生すれば
、カメラの監視対象の異常を早く確認することができる。また、光ディスクに記録された
映像データは、いつまでも残すことができるので、犯罪捜査などにも役立てることができ
る。
【発明を実施するための最良の形態】
【００２４】
以下、添付図面を参照しつつ、本発明の実施の形態について説明する。図１は本発明の
一実施形態に係る複合型記録再生装置の構成を示すブロック図である。
【００２５】
この複合型記録再生装置１は、ＤＶＤ（デジタル・バーサタイル・ディスク）などの光
ディスク１３に対して情報の記録／再生を行うＤＶＤレコーダである光ディスク記録再生
装置２と、ＨＤ（ハードディスク）１４に対して情報の記録／再生を行うハードディスク
装置３と、図示しないアンテナからのテレビ放送信号を受信し、所望のチャンネルのテレ
ビ放送信号を選択して映像音声信号として出力するチューナ４と、光ディスク記録再生装
置２またはハードディスク装置３またはチューナ４から出力された映像音声信号をデコー
ド（Ａ／Ｄ変換して復号）するデコーダ５と、チューナ４が受信可能な放送チャンネルを
記憶すると共にシステムコントローラ１０の動作に必要なプログラムなどを記憶するフラ
ッシュＲＯＭ６と、システムコントローラ１０の動作に必要なデータを一時的に格納する
ＲＡＭ１５と、デコーダ５でデコードされた映像信号をモニタ装置（テレビ受信機など）
１２で表示可能な映像信号に変換する映像出力部７と、デコーダ５でデコードされた音声
信号をモニタ装置１２で出力可能な音声信号に変換する音声出力部８と、リモコン１１か
ら送信された赤外光の各種の指令信号を受信し、受信した赤外光の指令信号を電気信号の
指令信号に変換し、この指令信号をシステムコントローラ１０に入力するリモコン受信部
９と、装置全体を制御する前記システムコントローラ１０とを備えている。
【００２６】
また、この複合型記録再生装置１には、監視対象の場所に設置され、監視に用いられる
カメラ１６が接続されており、カメラ１６の映像出力端子は、ラインＬ１を介してデコー
ダ５の入力端子に接続され、カメラ１６の制御端子は、ラインＬ２を介してシステムコン
トローラ１０の制御端子に接続されている。
【００２７】
システムコントローラ１０は、本実施形態の特徴として、リモコン１１などの操作によ
りカメラモードに設定された場合に、カメラ１６からのアナログの映像信号をデジタルに
変換した映像データの１画面分の映像データをＲＡＭ１５に一旦格納させるメモリ格納制
御手段１０１と、ハードディスク装置３を駆動させ、ＲＡＭ１５に格納された映像データ
をＨＤ１４に記録させるハードディスク記録制御手段１０２と、前回にＲＡＭ１５に格納
された映像データと今回にＲＡＭ１５に格納された映像データとを比較することによって
両映像データは異なるか否かを判定する映像データ判定手段１０３と、両映像データが異
なると判定されたときに、ＨＤ１４に今回の映像データを記録させる際にチャプターマー
クを挿入するチャプターマーク挿入手段１０４と、両映像データが異なると判定されたと
きに、光ディスク記録再生装置２を駆動させ、前記今回の映像データにチャプターマーク
を挿入して、前記今回の映像データを光ディスク１３に記録させる光ディスク記録制御手
段１０５とを有する。
【００２８】
図２は本実施形態においてシステムコントローラ１０の映像データ判定手段１０３およ
び光ディスク記録制御手段１０５の処理を説明するための図である。図２（１）は映像デ
ータ判定手段１０３が前回の映像データと今回の映像データとを比較する処理を示し、時
点ｔ０〜時点ｔ１、時点ｔ１〜時点ｔ２、時点ｔ２〜時点ｔ３、時点ｔ３〜時点ｔ４は、
それぞれ１画面分の映像データＡを示し、時点ｔ４〜時点ｔ５は、１画面分の映像データ
Ｂを示す。時点ｔ５〜時点ｔ６は、１画面分の映像データＡを示す。時点ｔ６〜時点ｔ７
は、１画面分の映像データＣを示す。
【００２９】
ここで、映像データＡが監視対象に異常がない場合の映像データとすると、時点ｔ４〜
時点ｔ５で映像データがＢに変わっているので、この映像データＢが監視対象に異常が発
生したことを示すことになる。また、時点ｔ６〜時点ｔ７においても、映像データがＣに
変わっているので、この映像データＣが監視対象に異常が発生したことを示すことになる
。
【００３０】
図２（２）は光ディスク記録制御手段１０５が光ディスク１３にチャプターマークを付
ける処理を示し、この例の場合、映像データＢの始まりの時点Ｔ１と、映像データＡの始
まりの時点Ｔ２と、映像データＣの始まりの時点Ｔ３とに、それぞれチャプターマークｍ
が付けられていることを示している。なお、映像データＡは異常を意味していないデータ
であるが、前回の映像データがＢであるので、今回の映像データとしてはＡとなり、両デ
ータが異なると判定された結果、映像データＡにもチャプターマークが付けられるが、再
生時にリモコン１１のスキップキーを押下すれば、映像データＢと映像データＡを直ぐに
再生でき、カメラ１６の監視対象の異常を早く確認するのに役立てることができる。
【００３１】
図３は、映像データＢと映像データＡと映像データＣとが記録された光ディスク１３を
再生する際にリモコン１１の操作によりスキップさせると、チャプターマークｍにより、
映像データＢと映像データＡと映像データＣとが直ぐに再生できることを示している。
【００３２】
図４は本実施形態においてカメラモードに設定した場合の処理を説明するためのフロー
チャートである。このフローチャートおよび図１〜図３を参照してカメラモードに設定し
た場合の処理について説明する。
【００３３】
先ず、複合型記録再生装置１をカメラモードに設定する操作をリモコン１１により行わ
れると（ステップＳ１）、システムコントローラ１０は、デコーダ５がカメラ１６からの
映像信号（アナログの映像信号）を入力できるようにデコーダ５を切り換え設定を行って
、カメラ１６からの映像信号をデコーダ５に入力させる（ステップＳ２）。デコーダ５は
、入力された映像信号をＡ／Ｄ変換してデジタルの映像データとして出力する（ステップ
Ｓ３）。
【００３４】
そして、システムコントローラ１０のメモリ格納制御手段１０１は、カメラ１６からの
映像データ、詳しくは、カメラ１６からのアナログの映像信号をデコーダ５でＡ／Ｄ変換
して得られたデジタルの映像データの１画面分の映像データをＲＡＭ１５に一旦格納する
（ステップＳ４）。
【００３５】
次に、システムコントローラ１０のハードディスク記録制御手段１０２は、ハードディ
スク装置３を駆動させ、ＲＡＭ１５に格納されている映像データを読み出して、ＨＤ（ハ
ードディスク）１４に記録させる（ステップＳ５）。このようなステップＳ２〜ステップ
Ｓ５までの処理が、カメラモードが解除されるまで実行される（ステップＳ６）。
【００３６】
このような処理により、カメラ１６で撮像された映像を示す映像データがＨＤ１４に記
録される一方、システムコントローラ１０の映像データ判定手段１０３は、前回にＲＡＭ
１５に格納された１画面分の映像データと、今回にＲＡＭ１５に格納された１画面分の映
像データとを比較して、両映像データが異なると判定したとき（ステップＳ７）、システ
ムコントローラ１０のチャプターマーク挿入手段１０４は、ＨＤ１４に今回の映像データ
を記録させる際に、チャプターマークを挿入する（ステップＳ８）。
【００３７】
また、ステップＳ８の処理と並行して、システムコントローラ１０の光ディスク記録制
御手段１０４は、光ディスク記録再生装置２を駆動させ、前記今回の映像データにチャプ
ターマークを付けて、前記今回の映像データを光ディスク１３に記録させる（ステップＳ
９）。なお、ＲＡＭ１５には、１画面分の映像データが順次格納されるが、前回の映像デ
ータと今回の映像データとの比較が終わって、比較する必要がなくなった過去の映像デー
タは、消去するようにすれば、ＲＡＭ１５の容量を増やす必要がないので、ＲＡＭ１５を
有効に活用することができる。
【００３８】
映像データ判定手段１０３は、例えば、図２（１）に示すように、ＲＡＭ１５から読み
出した、時点ｔ０〜時点ｔ１の映像データＡ（この場合は前回の映像データ）と時点ｔ１
〜時点ｔ２の映像データＡ（この場合は今回の映像データ）との比較、時点ｔ１〜時点ｔ
２の映像データＡ（この場合は前回の映像データ）と時点ｔ２〜時点ｔ３の映像データＡ
（この場合は今回の映像データ）との比較、時点ｔ２〜時点ｔ３の映像データＡ（この場
合は前回の映像データ）と時点ｔ３〜時点ｔ４の映像データＡ（この場合は今回の映像デ
ータ）との比較、時点ｔ３〜時点ｔ４の映像データＡ（この場合は前回の映像データ）と
時点ｔ４〜時点ｔ５の映像データＢ（この場合は今回の映像データ）との比較、時点ｔ４
〜時点ｔ５の映像データＢ（この場合は前回の映像データ）と時点ｔ５〜時点ｔ６の映像
データＡ（この場合は今回の映像データ）との比較、時点ｔ５〜時点ｔ６の映像データＡ
（この場合は前回の映像データ）と時点ｔ６〜時点ｔ７の映像データＣ（この場合は今回
の映像データ）との比較を行う。
【００３９】
ここで、比較対象の両映像データが異なるのは、時点ｔ３〜時点ｔ４の映像データＡ（
この場合は前回の映像データ）と時点ｔ４〜時点ｔ５の映像データＢ（この場合は今回の
映像データ）とであるので、時点ｔ４〜時点ｔ５の映像データＢが、図２（２）に示すよ
うにチャプターマークｍを付けて光ディスク１３に記録されることになる。また、次に、
両映像データが異なるのは、時点ｔ４〜時点ｔ５の映像データＢ（この場合は前回の映像
データ）と時点ｔ５〜時点ｔ６の映像データＡ（この場合は今回の映像データ）とである
ので、時点ｔ５〜時点ｔ６の映像データＡが、チャプターマークｍを付けて光ディスク１
３に記録されることになる。
【００４０】
また、その次に、両映像データが異なるのは、時点ｔ５〜時点ｔ６の映像データＡ（こ
の場合は前回の映像データ）と時点ｔ６〜時点ｔ７の映像データＣ（この場合は今回の映
像データ）とであるので、時点ｔ６〜時点ｔ７の映像データＣが、チャプターマークｍを
付けて光ディスク１３に記録されることになる。このようなチャプターマークｍが映像デ
ータＢ，Ａ，Ｃに付されることにより、再生時にリモコン１１のスキップキーを押下すれ
ば、映像データＢ、映像データＡ、映像データＣを直ぐに再生でき、カメラ１６の監視対
象の異常を早く確認することができる。
【００４１】
なお、映像データＡは、過去において何回も検出されているので、監視対象が異常のな
いことを示すので、この映像データＡは光ディスク１３には記録させなくても良いが、こ
の映像データＡも光ディスク１３に記録させておくと、再生時に前回の映像データＢによ
る画像がどのように変化していたかをはっきり知ることができる。
【００４２】
以上説明した実施形態では、カメラから出力された映像情報をハードディスクに記録す
ると共に、異常映像情報にチャプタ−マークを挿入してハードディスクに記録し、また、
異常映像情報にチャプタ−マークを付けて、異常映像情報のみを光ディスクに記録するこ
とができる複合型記録再生装置を提供しているが、ハードディスクに異常映像情報を記録
する際にチャプターマークを挿入せずに、チャプターマークを付けた異常映像情報のみを
光ディスクに記録しても良いが、ハードディスクに異常映像情報を記録する際にチャプタ
ーマークを挿入しておく方が、ハードディスクを再生して異常映像を探すのにスキップで
早く探すことができるようになる。また、光ディスクに異常映像情報を記録する際に、チ
ャプターマークを付けずに異常映像情報を記録しても良いが、光ディスクに異常映像情報
を記録する際にチャプターマークを付けておく方が、光ディスクを再生して目的とする異
常映像を探すのに、スキップで早く探すことができるようになる。
【００４３】
以上説明したように本実施形態によれば、光ディスクの再生時にスキップキーを押下す
れば、光ディスクから各異常映像を直ぐに再生でき、カメラの監視対象の異常を早く確認
することができる。また、ハードディスクに映像データを記録しているときに、異常があ
った映像データにチャプタ−マークを挿入することにより、そのハードディスクを再生す
るときにスキップすれば、異常映像を直ぐに再生でき、異常が発生した前後の状況も把握
でき、後々の異常の分析に役立てることができる。また、ハードディスクは、使用容量が
一杯になれば、記録されている映像データを消去して、新たな映像データを記録するよう
になるが、光ディスクに記録された映像データは、いつまでも残すことができるので、犯
罪捜査などにも役立てることができる。
【図面の簡単な説明】
【００４４】
【図１】本発明の一実施形態に係る複合型記録再生装置の構成を示すブロック図である。
【図２】前記実施形態においてシステムコントローラの映像データ判定手段および光ディスク記録制御手段の処理を説明するための図である。
【図３】前記実施形態においてチャプターマークにより目的の映像データを直ぐに再生できることを説明するための図である。
【図４】前記実施形態においてカメラモードに設定した場合の処理を説明するためのフローチャートである。
【符号の説明】
【００４５】
１    複合型記録再生装置
２    光ディスク記録再生装置
３    ハードディスク装置
１０    システムコントローラ
１３    光ディスク
１４    ハードディスク
１５    ＲＡＭ（メモリ）
１６    カメラ
１０１    メモリ格納制御手段
１０２    ハードディスク記録制御手段
１０３    映像データ判定手段
１０４    チャプターマーク挿入手段
１０５    光ディスク記録制御手段
【図１】
2007081662.tif 000003
【図２】
2007081662.tif 000004
【図３】
2007081662.tif 000005
【図４】
2007081662.tif 000006